(57)【要約】【課題】組立作業性の向上を図り得ながら縦リンク同士の枢支連結部分にガタツキがなく、撓みを防止でき、軽量化、コスト削減を図れる避難梯子を提供する。【解決手段】避難梯子は複数の縦リンク２，３をそれぞれリベット４及び座金７を以ってパンタグラフ状に枢支連結してなる上下方向に伸縮可能な左右一対の伸縮体５，５と、この伸縮体間の適宜位置に配設され縦リンク２又は３に連結された複数の足掛け用横リンク６とを備える。座金７は、互いに重ね合わされて枢支連結された縦リンク２，３同士の重合面間に介在された座金本体部７ａと、この座金本体部の内径部から拡縮径変形自在な中太の円筒形状に突き出され、互いに重ね合わされて枢支連結された縦リンク２，３のうち一方の縦リンク２にあけたリベット穴８に挿入された弾性筒部７ｂとを有する形に形成されている。リベット４は、もう一方の縦リンク３にあけたリベット４の軸径と略同一寸法の穴径のリベット穴９と弾性筒部７ｂに挿入されてかしめられている。【選択図】図３
2008154813.tif 000002
【特許請求の範囲】
【請求項１】
複数の縦リンクをそれぞれリベット及び座金を以ってパンタグラフ状に枢支連結してなる上下方向に伸縮可能な左右一対の伸縮体と、この伸縮体間の適宜位置に配設され前記縦リンクに連結された複数の足掛け用横リンクとを備えた避難梯子において、
前記座金が、互いに重ね合わされて枢支連結された前記縦リンク同士の重合面間に介在された環状の座金本体部と、この座金本体部の内径部から拡縮径変形自在な中太の円筒形状に突き出され、互いに重ね合わされて枢支連結された前記縦リンクのうち一方の縦リンクにあけたリベット穴に挿入された弾性筒部とを有する形に形成されており、
前記リベットが、互いに重ね合わされて枢支連結された前記縦リンクのうちもう一方の縦リンクにあけた前記リベットの軸径と略同一寸法の穴径のリベット穴と前記弾性筒部に挿入されてかしめられていることを特徴とする、避難梯子。
【請求項２】
複数の縦リンクをパンタグラフ状に枢支連結してなる上下方向に伸縮可能な左右一対の伸縮体と、この伸縮体間の適宜位置に配設され前記縦リンクに連結された複数の足掛け用横リンクとを備えた避難梯子において、互いに重ね合わされる前記縦リンクのうち一方の縦リンクともう一方の縦リンクとをリベット及び座金を以って枢支連結する方法であって、
前記座金は、環状の座金本体部と、この座金本体部の内径部から拡縮径変形自在な中太の円筒形状に突き出された弾性筒部とを有する形に予成形しており、まず、前記座金の弾性筒部を前記一方の縦リンクにあけた前記リベットの軸径よりも少し大きい穴径のリベット穴に挿入するとともに、前記座金本体部を前記一方の縦リンクの一側面に重ね合わせ、次いで、前記一方の縦リンクの一側面に前記座金本体部を介して前記もう一方の縦リンクをこれにあけた前記リベットの軸径と略同一寸法の穴径のリベット穴が前記弾性筒部の中心と合致するように重ね合わせ、次いで、前記リベットを前記もう一方の縦リンクのリベット穴と前記弾性筒部に挿入させ、該リベットをかしめて前記一方の縦リンクともう一方の縦リンクとを枢支連結することを特徴とする、避難梯子の縦リング同士の枢支連結方法。
【発明の詳細な説明】
【技術分野】
【０００１】
本発明は、マンションやビル等のベランダの避難ハッチに設置されて火災等の緊急避難時に使用される金属製の避難梯子、及び避難梯子の縦リング同士の枢支連結方法に関する。
【背景技術】
【０００２】
この種の避難梯子として、例えば、図５に示すように、複数の内側の縦リンク２０と外側の縦リンク２１をそれぞれリベット２２を以ってパンタグラフ状に枢支連結してなる上下方向に伸縮可能な左右一対の伸縮体２３，２３と、この伸縮体２３，２３間の適宜位置に配設され外側の縦リンク２１に連結された複数の足掛け用横リンク２４とからなる避難梯子２５が公知である（例えば、特許文献１，２参照。）。この避難梯子２５はマンションやビル等のベランダ２６の避難ハッチ２７に設置されている。
【０００３】
かかる避難梯子において、複数の内側の縦リンク２０と外側の縦リンク２１をそれぞれリベット２２を以って枢支連結するには、一般に、図６に示すように、互いに内外に重ね合わされる縦リンク２０，２１のうち内側の縦リンク２０と外側の縦リンク２１との重合面間に平座金２８を介在させ、これら内側の縦リンク２０にあけたリベット穴２９と、外側の縦リンク２１にあけたリベット穴３０、及び平座金２８の中央穴２８ａにリベット２２を挿入し、該リベット２２をかしめて内外側の縦リンク２０，２１同士を枢支連結している。
【０００４】
【特許文献１】特開平７−８８２０３号公報（図６）
【特許文献２】特開２００５−４２４８２号公報（図１）
【発明の開示】
【発明が解決しようとする課題】
【０００５】
しかしながら、内外の縦リンク２０，２１同士をリベット２２で枢支連結する上記避難梯子では、その枢支連結に際し内側の縦リンク２０のリベット穴２９の中心と、平座金２８の中心、及び外側の縦リンク２１のリベット穴３０の中心の三点を合わせ、この心合わせ状態を何らかの手段で保った状態下でこれらにリベット２２を挿入しなければならないが、その挿入作業は容易ならず、しかも、梯子全体からみてその挿入箇所の数は多いため、その挿入作業に多くの手数と時間を要するのである。
とくに、縦リンク２０，２１にそれぞれあけるリベット穴２９，３０とリベット２２の軸部との間のクリアランスを小さくすると、リベット２２を縦リンク２０，２１のリベット穴２９，３０及び平座金２８の中央穴２８ａに挿入する組立作業能率が低下する。かと言って、かかるリベット２２の挿入作業性の向上を図るために、縦リンク２０，２１にあけるリベット穴２９，３０はリベット２２の軸部の径よりかなり大きくすると、縦リンク２０，２１同士のリベット２２による枢支連結部分にガタツキが生じる状態となり、大きい撓みや揺れが生じ、永久ひずみが生じる。そのための解決策として、縦リンク２０，２１の剛性を高めるために肉厚な、幅広な金属材料を用いるという方法があるが、これでは避難梯子の重量が嵩むため、避難梯子を降下させたときの衝撃荷重が大きくなって耐久性に問題が生じたり、また避難梯子の折り畳み格納に際し困難が生じたりする。
【０００６】
本発明は、このような問題を解決するものであって、その目的とするところは、組立作業性の向上を図り得ながら縦リンク同士の枢支連結部分にガタツキがなく、撓みや揺れが少なくて安定した避難ができ、また永久ひずみを防止でき、軽量化、コスト削減を図れる避難梯子、及び避難梯子の縦リング同士の枢支連結方法を提供することにある。
【課題を解決するための手段】
【０００７】
本発明に係る避難梯子は、発明の内容を理解しやすくするために図１〜図４に付した符号を参照して説明すると、複数の縦リンク（２），（３）をそれぞれリベット（４）及び座金（７）を以ってパンタグラフ状に枢支連結してなる上下方向に伸縮可能な左右一対の伸縮体（５），（５）と、この伸縮体（５），（５）間の適宜位置に配設され縦リンク（２）又は（３）に連結された複数の足掛け用横リンク（６）とを備えた避難梯子において、前記座金（７）が、互いに重ね合わされて枢支連結された前記縦リンク（２），（３）同士の重合面間に介在された環状の座金本体部（７ａ）と、この座金本体部（７ａ）の内径部から拡縮径変形自在な中太の円筒形状に突き出され、互いに重ね合わされて枢支連結された縦リンク（２），（３）のうち一方の縦リンク（２）にあけたリベット穴（８）に挿入された弾性筒部（７ｂ）とを有する形に形成されており、前記リベット（４）が、互いに重ね合わされて枢支連結された縦リンク（２），（３）のうちもう一方の縦リンク（３）にあけたリベット（４）の軸径と略同一寸法の穴径のリベット穴（９）と弾性筒部（７ｂ）に挿入されてかしめられていることに特徴を有するものである。
【０００８】
このような構成によれば、座金（７）が座金本体部（７ａ）と弾性筒部（７ｂ）とを有する形に形成されているので、互いに重ね合わされて枢支連結される縦リンク（２），（３）のリベット穴（８），（９）にリベット（４）を挿入する前に、座金（７）の弾性筒部（７ｂ）を縦リンク（２），（３）のうち一方の縦リンク（２）のリベット穴（８）に挿入させることにより座金（７）を該縦リンク（２）上に座金本体部（７ａ）の中心とリベット穴（８）の中心とが一致もしくは略一致する状態に保持することができる。したがって、リベット（４）は、互いに重ね合わされる縦リンク（２），（３）のうち一方の縦リンク（２）のリベット穴（８）に挿入した弾性筒部（７ｂ）と、もう一方の縦リンク（３）のリベット穴（９）に挿入させるだけで足り、この挿入作業は、前述した従来の、内側の縦リンク２０のリベット穴２９の中心と、平座金２８の中心、及び外側の縦リンク２１のリベット穴３０の中心の三点を合わせ、この心合わせ状態を保持する状態下でこれらにリベット２２を挿入する従来の挿入作業に比べて、きわめて容易であり、縦リング（２），（３）同士を簡単に枢支連結することができる。
【０００９】
また、互いに重ね合わされて枢支連結された縦リンク（２），（３）のうち一方の縦リンク（２）にあけたリベット穴（８）とリベット（４）との間でのガタツキはその間に挿入配置された弾性筒部（７ｂ）のばね作用により無くすることができ、また互いに重ね合わされた縦リンク（２），（３）のうちもう一方の縦リンク（３）にあけたリベット穴（９）の穴径はリベット（４）の外径と略同一にしてこれら縦リンク（３）とリベット（４）との間のクリアランスを非常に小さくしているので、その間でのガタツキも無くなり、結局、互いに重ね合わされた縦リンク（２），（３）同士のリベット（４）による枢支連結部分にガタツキが無くなり、撓みや揺れが少なく、また永久ひずみを防止できる。
【００１０】
座金（７）の座金本体部（７ａ）は、互いに重ね合わされた縦リンク（２），（３）の重合面間に隙間を確保することができるため、避難梯子を伸縮させるとき該縦リンク（２），（３）同士の相対回転運動を円滑にする。
【００１１】
本発明に係る避難梯子の縦リング同士の枢支連結方法は、発明の内容を理解しやすくするために図１〜図４に付した符号を参照して説明すると、複数の縦リンク（２），（３）をパンタグラフ状に枢支連結してなる上下方向に伸縮可能な左右一対の伸縮体（５），（５）と、この伸縮体（５），（５）間の適宜位置に配設され縦リンク（２）又は（３）に連結された複数の足掛け用横リンク（６）とを備えた避難梯子において、互いに重ね合わされる縦リンク（２），（３）のうち一方の縦リンク（２）ともう一方の縦リンク（３）とをリベット（４）及び座金（７）を以って枢支連結する方法であって、前記座金（７）は、環状の座金本体部（７ａ）と、この座金本体部（７ａ）の内径部から拡縮径変形自在な中太の円筒形状に突き出された弾性筒部（７ｂ）とを有する形に予成形しており、まず、座金（７）の弾性筒部（７ｂ）を一方の縦リンク（２）にあけたリベット（４）の軸径よりも少し大きい穴径のリベット穴（８）に挿入するとともに、座金本体部（７ｂ）を一方の縦リンク（２）の一側面に重ね合わせ、次いで、一方の縦リンク（２）の一側面に座金本体部（７ａ）を介してもう一方の縦リンク（３）をこれにあけたリベット（４）の軸径と略同一寸法の穴径のリベット穴（９）が弾性筒部（７ｂ）の中心と合致するように重ね合わせ、次いで、リベット（４）をもう一方の縦リンク（３）のリベット穴（９）と弾性筒部（７ｂ）に挿入させ、該リベット（４）をかしめて一方の縦リンク（２）ともう一方の縦リンク（３）とを枢支連結することに特徴を有するものである。
【００１２】
このような構成によれば、予め、互いに重ね合わされる縦リンク（２），（３）のうち一方の縦リンク（２）のリベット穴（８）に、座金本体部（７ａ）と弾性筒部（７ｂ）とを有する形の座金（７）の弾性筒部（７ｂ）を挿入することにより、座金（７）を一方の縦リンク（２）に座金本体部（７ａ）の中心と該縦リンク（２）のリベット穴（８）の中心とが一致もしくは略一致する状態に保持することができる。したがって、その後、リベット（４）は、もう一方の縦リンク（３）にあけたリベット穴（９）と弾性筒部（７ｂ）に挿入するだけで足り、この挿入作業は、前述した従来のように、内側の縦リンク２０のリベット穴２９の中心と、平座金２８の中心、及び外側の縦リンク２１のリベット穴３０の中心の三点を合わせ、この心合わせ状態を保持する状態下でこれらにリベット２２を挿入する従来の挿入作業に比べて、きわめて容易に行える。
【発明の効果】
【００１３】
本発明によれば、リベットは互いに重ね合わされる縦リンクのうち一方の縦リンクにあけたリベット穴に挿入した座金の弾性筒部と、もう一方の縦リンクにあけたリベット穴に挿入させるだけで互いに重ね合わされる縦リンク同士を枢支連結することができるので、組立作業性に優れる。しかも、互いに重ね合わされた縦リンク同士のリベットによる枢支連結部分にガタツキが無くなり、撓みや揺れが少なくて安定した避難ができ、また永久ひずみを防止できので、縦リンクに肉厚な、幅広な金属材料を用いて剛性を高める必要が無くなり、軽量化、コスト削減を図ることができる。
【発明を実施するための最良の形態】
【００１４】
以下、本発明に係る避難梯子の好適な実施形態を図面に基づいて説明する。
【００１５】
図１は、本発明に係る避難梯子を伸長状態で示す側面図、図２は同避難梯子の正面図、図３は図１におけるＡ部の拡大断面図、図４（ａ）〜（ｆ）は同避難梯子の外側の縦リンクと内側の縦リンクのリベットによる枢支連結工程順を示す断面図である。
【００１６】
図１、図２に示すように、本発明に係る避難梯子１は、図外のマンションやビル等のベランダの避難ハッチ（図５参照）に設置され、複数の内側の縦リンク（トラス）２と外側の縦リンク（縦棒）３をそれぞれリベット４を以ってパンタグラフ状に枢支連結してなる上下方向に伸縮可能な左右一対の伸縮体５，５と、この伸縮体５，５間の適宜位置に配設され外側の縦リンク３に連結された複数の足掛け用横リンク６とを備えている。１３は巻き上げ用のテープで、このテープ１３の巻き取りによって伸長した伸縮体５，５を縮小させながら引き上げるものである。
【００１７】
縦リンク２，３、足掛け用横リンク６は、一般構造用圧延鋼材（ＳＳ４００）等の金属材料からなり、防錆処理メッキを施している。
【００１８】
図３に示すように、伸縮体５は、内側の縦リンク２と外側の縦リンク３を互いに特殊な形状の座金７を介してＸ状に重ね合わせ、内側の縦リンク２にあけたリベット穴８と外側の縦リンク３にあけたリベット穴９にリベット４を挿入し、該リベット４をかしめて縦リンク２，３同士を枢支連結してなる。
【００１９】
上記リベット４は、ＳＵＳ３８４等の金属材料からなり、防錆処理メッキを施している。リベット４は軸部４ａの一端に頭部４ｂを有し、軸部４ａの他端（先端）に中空部４ｃを有する中空リベットである。
【００２０】
上記座金７は、冷延鋼板（ＳＰＣＥ-ＳＤ）等の金属板材料からなり、防錆処理メッキを施している。この座金７は、図４（ａ）に示すように、平らな環状の座金本体部７ａと、この座金本体部７ａの内径部から拡縮径変形自在な中太（ビア樽形）の円筒形状に突き出された弾性筒部７ｂとを有する形に予成形している。
この弾性筒部７ｂの座金本体部７ａとは反対側の先端部の外径寸法は内側の縦リンク２にあけるリベット穴８の穴径よりも少し小さい寸法に設定して該リベット穴８に挿入し易くしており、弾性筒部７ｂの中太部の最大外径寸法は内側の縦リンク２にあけるリベット穴８の穴径と略同一か、その穴径よりも少し大きい寸法に設定している。外側の縦リンク３にあけるリベット穴９の穴径は、リベット４の軸部４ａの外径（軸径）と略同一寸法に設定し、かつ内側の縦リンク２にあけるリベット穴８の穴径よりも少し小さい寸法に設定している。
【００２１】
具体的には、例えば、リベット４の軸径Ｄ１（図４（ｄ）参照）は５〜４．９（ｍｍ）、リベット穴８の穴径Ｄ２（図４（ａ）参照）は５．９〜６．１（ｍｍ）、リベット穴９の穴径Ｄ３（図４（ｃ）参照）は５〜５．２（ｍｍ）、座金７の板厚は０．３（ｍｍ）、弾性筒部７ｂの中太部の最大外径寸法Ｄ４（図４（ａ）参照）は６．１〜６．３（ｍｍ）、弾性筒部７ｂの先端部の内径Ｄ５（図４（ａ）参照）は５〜５．２（ｍｍ）、座金本体部７ａの内径Ｄ６（図４（ａ）参照）は５〜５．２（ｍｍ）とする。
【００２２】
互いに内外に重ね合わされる縦リンク２，３同士は、図３に示すように、上記リベット４を以って枢支連結されるが、それに先立って、座金７の弾性筒部７ｂを内側の縦リンク２にあけたリベット穴８に挿入するとともに、座金本体部７ａを縦リンク２の外側面に重ね合わせて座金７を縦リンク２上に保持する。これにより座金７は縦リンク２上に座金本体部７ａの中心を縦リンク２のリベット穴８の中心に一致もしくは略一致させる状態に保持される。
かくして、縦リンク２の外側面に縦リンク３をこれのリベット穴９が座金７の座金本体部７ａ及び弾性筒部７ｂの中心と一致もしくは略一致するように座金本体部７ａを介して重ね合わせ、リベット４を外側の縦リンク３の外側から該リベット穴９と弾性筒部７ｂに挿入し、内側の縦リンク２の内側に突出する該リベット４の中空部４ｃをかしめることにより縦リンク２，３同士が枢支連結される状態が得られる。
【００２３】
このように枢支連結された内外側の縦リンク２，３のうち内側の縦リンク２にあけたリベット穴８とリベット４の軸部４ａとの間でのガタツキはその間に挿入配置された弾性筒部７ｂのばね作用により無くすることができる。また、互いに重ね合わされた縦リンク２，３のうち外側の縦リンク３にあけたリベット穴９の穴径はリベット４の軸部４ａの外径と略同一にしてこれら縦リンク３とリベット４の軸部４ａとの間のクリアランスを非常に小さくしているので、その間でのガタツキも無くなる。したがって、互いに重ね合わされた縦リンク２，３同士のリベット４による枢支連結部分にガタツキが無くなり、撓みや揺れが少なくて安定した避難ができ、また永久ひずみを防止できる。
【００２４】
次に、内側の縦リンク２と外側の縦リンク３をリベット４及び座金７を以って枢支連結する方法の一実施例を図４（ａ）〜（ｆ）を参照にして説明する。
【００２５】
まず、図４（ｂ）に示すように、座金７の弾性筒部７ｂを内側の縦リンク２にあけたリベット穴８に挿入し、座金本体部７ａを縦リンク２の外側面に重ね合わせて座金７を縦リンク２のリベット穴８に嵌着する。
次いで、同図（ｃ）のように、縦リンク２の外側面に縦リンク３を座金７の弾性筒部７ｂの中心とリベット穴９が合致するように座金本体部７ａを介して重ね合わせる。次いで、同図（ｄ）のように、縦リンク２の内側からかしめ機のパイロットピン１０を弾性筒部７ｂ及び縦リンク３のリベット穴９に挿入することにより縦リンク２，３がかしめ機にセットされる。パイロットピン１０は、リベット４が縦リンク３のリベット穴９及び座金７の弾性筒部７ｂに挿入するまでのガイドの役割を果たすものである。
次いで、同図（ｅ）のように、リベット４をパイロットピン１０の先端に載せる。最後に、かしめヘッド１１を降下させてかしめヘッド１１の下端の凹部１１ａでリベット４の頭部４ｂを押圧し、更に、かしめヘッド１１を降下させてリベット４をパイロットピン１０ごと押し下げ、リベット４を縦リンク３のリベット穴９及び座金７の弾性筒部７ｂに挿入すると、同図（ｆ）のようにリベット４の軸部４ａの先端の中空部４ｃがアンビル１２の凹部１２ａで外拡がり状に圧潰されてかしめられる。
【００２６】
上記のように、互いに内外に重ね合わされる縦リンク２，３同士を枢支連結するに先立って、縦リンク２，３のうち内側の縦リンク２のリベット穴８に、座金本体部７ａと弾性筒部７ｂとを有する形の座金７の弾性筒部７ｂを挿入し、しかる後リベット４を弾性筒部７ｂと外側の縦リンク３のリベット穴９に挿入させるだけの簡単な挿入作業で、互いに重ね合わされる縦リンク２，３同士を容易に枢支連結することができる。
また、内側の縦リンク２にあけたリベット穴８とリベット４の軸部４ａとの間でのガタツキはその間に挿入された弾性筒部７ｂのばね作用により無くすることができ、外側の縦リンク３にあけたリベット穴９の穴径はリベット４の軸部４ａの外径と略同一にしてこれら縦リンク３とリベット４との間のクリアランスを非常に小さくしているので、その間でのガタツキも無くなり、結局、互いに重ね合わされた縦リンク２，３同士のリベット４による枢支連結部分にガタツキが無くなり、撓みや揺れが少なくて安定した避難ができ、また永久ひずみを防止できる、ということは既述した通りである。
【００２７】
上記実施例では、座金７を内側の縦リンク２のリベット穴８に挿入嵌着する仕様について説明したが、これに代えて、座金７は外側の縦リンク３のリベット穴９に挿入嵌着する仕様であってもよい。
また、上記実施例のリベット４及び座金７による枢支連結構造は避難梯子１の全ての縦リンク２，３同士の枢支連結部に適用することに限定されず、そのうちの一部の縦リンク２，３同士の枢支連結部のみに適用するものであってもよい。
【図面の簡単な説明】
【００２８】
【図１】本発明に係る避難梯子を伸長状態で示す側面図である。
【図２】同避難梯子の正面図である。
【図３】図１におけるＡ部の拡大断面図である。
【図４】（ａ）〜（ｆ）は同避難梯子の外側の縦リンクと内側の縦リンクのリベットによる枢支連結工程順を示す断面図である。
【図５】従来例の避難梯子の斜視図である。
【図６】従来例の避難梯子の縦リンク同士のリベットによる枢支連結部を示す断面図である。
【符号の説明】
【００２９】
１  避難梯子
２，３  縦リンク
４  リベット
５  伸縮体
６  足掛け用横リンク
７  座金
７ａ  座金本体部
７ｂ  弾性筒部
８，９ リベット穴
【図１】
2008154813.tif 000003
【図２】
2008154813.tif 000004
【図３】
2008154813.tif 000005
【図４】
2008154813.tif 000006
【図５】
2008154813.tif 000007
【図６】
2008154813.tif 000008